(57)【要約】１または複数のキャリアを活性化および／または非活性化することに関連する帯域幅切換を実行するために、例えば時間スロット、サブフレーム等のようなリソースを選択することを容易にするシステム、方法、および装置が提供される。帯域幅切換を実行するために、１または複数のサブフレームのデータ部分が選択されうる。さらに、デバイスは、１または複数のダウンリンク許可が１または複数のサブフレームで受信されたか否かを判定し、このようなサブフレームを選択することを回避しうる。あるいは、デバイスは、帯域幅切換を実行し、データ部分の再送信を要求しうる。さらに、または、この代わりに、デバイスは、サブフレームにおいて帯域幅切換を実行すべきか否かを判定するために、１または複数のサブフレームのタイプ、および／または、１または複数のサブフレームで送信された信号、を判定しうる。帯域幅切換は、サンプリング・レートを変更することと、周波数フィルタを再設定することと、ローカル発振器を修正すること等を含みうる。
2013513341.tif 000002
【特許請求の範囲】
【請求項１】
無線通信の方法であって、
１または複数のキャリアの活性化状態の変更を判定することと、
前記変更の判定に少なくとも部分的に基づいて、帯域幅切換を実行するための１または複数の時間スロットの一部を選択することと、
前記１または複数の時間スロットの一部の間に、帯域幅切換を実行することと、
を備える方法。
【請求項２】
前記１または複数の時間スロットの一部を選択することは、１または複数のサブフレームを選択することを備える、請求項１に記載の方法。
【請求項３】
前記１または複数のサブフレームの一部を選択することは、前記１または複数のサブフレームのデータ部分に対応する部分を選択することを備える、請求項２に記載の方法。
【請求項４】
帯域幅切換のために利用するために、所与のサブフレームにおいて、１または複数のデータ・シンボルの一部を示すインジケーションを、基地局から受信することをさらに備え、
前記１または複数のサブフレームの一部を選択することはさらに、前記１または複数のデータ・シンボルの一部を示すインジケーションに少なくとも部分的に基づいて、前記データ部分を選択することを備える、請求項３に記載の方法。
【請求項５】
前記活性化状態の変更が判定されると、タイマを起動することと、
前記タイマが終了する前に、何れのダウリンク許可も受信されないサブフレームを決定することと、をさらに備え、
前記１または複数のサブフレームの一部を選択することは、前記何れのダウンリンク許可も受信されないサブフレームから前記一部を選択することを備える、請求項３に記載の方法。
【請求項６】
前記活性化状態の変更が判定されると、タイマを起動することをさらに備え、
前記１または複数のサブフレームの一部を選択することは、前記タイマの終了後に実行される、請求項３に記載の方法。
【請求項７】
帯域幅切換を実行するための、連続したサブフレームの数を決定することをさらに備え、
前記１または複数のサブフレームの一部を選択することは、少なくとも、前記連続したサブフレームの数に対応するように、前記１または複数のサブフレームの一部を選択することを備える、請求項２に記載の方法。
【請求項８】
前記１または複数のサブフレームにおける制御データに少なくとも部分的に基づいて、前記１または複数のサブフレームに関連するデータの再送信を要求することをさらに備える、請求項２に記載の方法。
【請求項９】
前記１または複数のサブフレームにおける制御データを判定することをさらに備え、
前記１または複数のサブフレームの一部を選択することは、前記制御データに少なくとも部分的に基づく、請求項２に記載の方法。
【請求項１０】
前記１または複数のサブフレームが、少なくとも１つのマルチメディア・ブロードキャスト・オーバ・シングル周波数ネットワーク（ＭＢＳＦＮ）サブフレームを備えていると判定することをさらに備え、
前記１または複数のサブフレームの一部を選択することは、前記１または複数のサブフレームが、前記少なくとも１つのＭＢＳＦＮサブフレームを備えていると判定することに少なくとも部分的に基づく、請求項２に記載の方法。
【請求項１１】
１または複数のタイプの信号が、前記１または複数のサブフレームで送信されないことを判定することをさらに備え、
前記１または複数のサブフレームの一部を選択することは、前記１または複数のタイプの信号が、前記１または複数のサブフレームで送信されないことを判定することに少なくとも部分的に基づく、請求項２に記載の方法。
【請求項１２】
前記１または複数のタイプの信号は、タイミング・アドバンス・コマンド、同期信号、またはシステム情報ブロックのうちの少なくとも１つに関連する、請求項１１に記載の方法。
【請求項１３】
前記１または複数のサブフレームにおいて制御データを送信するか否かを判定すること
をさらに備え、
前記１または複数のサブフレームの一部を選択することは、前記１または複数のサブフレームにおいて制御データを送信しないと判定することに少なくとも部分的に基づく、請求項２に記載の方法。
【請求項１４】
前記帯域幅切換を実行することは、サンプリング・レートを変更すること、周波数フィルタを再設定すること、または、ローカル発振器を別の周波数へ再調整すること、のうちの少なくとも１つを備える、請求項２に記載の方法。
【請求項１５】
前記１または複数の時間スロットが、時分割デュプレクス通信において、受信機に電源を投入するための時間スロットに対応していると判定することをさらに備え、
前記１または複数の時間スロットを選択することは、前記１または複数の時間スロットが、前記受信機に電源を投入するための時間スロットに対応していると判定することに少なくとも部分的に基づく、請求項１に記載の方法。
【請求項１６】
無線通信において、設定されたキャリアを活性化または非活性化するための装置であって、
１または複数のキャリアの活性化状態の変更を検出し、
前記活性化状態の変更に少なくとも部分的に基づいて、帯域幅切換を実行するための１または複数の時間スロットの一部を選択し、
前記１または複数の時間スロットの一部の間に、帯域幅を切り換える、
ように構成された少なくとも１つのプロセッサと、
前記少なくとも１つのプロセッサに接続されたメモリと、
を備える装置。
【請求項１７】
前記１または複数の時間スロットは、１または複数のサブフレームに対応する、請求項１６に記載の装置。
【請求項１８】
前記１または複数のサブフレームの一部は、前記１または複数のサブフレームのデータ部分である、請求項１７に記載の装置。
【請求項１９】
前記少なくとも１つのプロセッサはさらに、帯域幅切換のために利用するために、所与のサブフレームにおいて、１または複数のデータ・シンボルの一部を示すインジケーションを、基地局から受信するように構成され、
前記少なくとも１つのプロセッサは、前記１または複数のデータ・シンボルの一部に少なくとも部分的に基づいて、前記１または複数のサブフレームの一部を選択する、請求項１８に記載の装置。
【請求項２０】
前記少なくとも１つのプロセッサはさらに、帯域幅を切り換えるための、連続したサブフレームの数を決定するように構成され、
前記少なくとも１つのプロセッサは、前記連続したサブフレームの数にしたがって、前記１または複数のサブフレームの一部を選択する、請求項１７に記載の装置。
【請求項２１】
前記少なくとも１つのプロセッサはさらに、前記１または複数のサブフレームにおける制御データに少なくとも部分的に基づいて、前記１または複数のサブフレームに関連するデータの再送信を要求するように構成された、請求項１７に記載の装置。
【請求項２２】
前記少なくとも１つのプロセッサはさらに、前記１または複数のサブフレームにおける制御データを判定するように構成され、
前記少なくとも１つのプロセッサは、前記制御データに少なくとも部分的に基づいて、前記１または複数のサブフレームの一部を選択する、請求項１７に記載の装置。
【請求項２３】
前記少なくとも１つのプロセッサはさらに、前記１または複数のサブフレームが、マルチメディア・ブロードキャスト・オーバ・シングル周波数ネットワーク（ＭＢＳＦＮ）であると判定するように構成され、
前記少なくとも１つのプロセッサは、前記１または複数のサブフレームがＭＢＳＦＮであると判定することに少なくとも部分的に基づいて、前記１または複数のサブフレームの一部を選択する、請求項１７に記載の装置。
【請求項２４】
前記少なくとも１つのプロセッサはさらに、１または複数のタイプの信号が、前記１または複数のサブフレームで送信されないことを判定するように構成され、
前記少なくとも１つのプロセッサは、前記１または複数のタイプの信号が、前記１または複数のサブフレームで送信されないことを判定することに少なくとも部分的に基づいて、前記１または複数のサブフレームの一部を選択する、請求項１７に記載の装置。
【請求項２５】
前記少なくとも１つのプロセッサはさらに、前記１または複数のサブフレームにおいて制御データを送信するか否かを判定するように構成され、
前記少なくとも１つのプロセッサは、前記１または複数のサブフレームにおいて制御データを送信しないと判定することに少なくとも部分的に基づいて、前記１または複数のサブフレームの一部を選択する、請求項１７に記載の装置。
【請求項２６】
前記少なくとも１つのプロセッサは、少なくとも部分的に、サンプリング・レートを変更すること、周波数フィルタを再設定すること、または、ローカル発振器を別の周波数へ再調整すること、によって帯域幅を切り換える、請求項１７に記載の装置。
【請求項２７】
前記少なくとも１つのプロセッサはさらに、前記１または複数の時間スロットが、時分割デュプレクス通信において、受信機に電源を投入するための時間スロットに対応していると判定するように構成され、
前記少なくとも１つのプロセッサは、前記１または複数の時間スロットが、前記受信機に電源を投入するための時間スロットに対応していると判定することに少なくとも部分的に基づいて、前記１または複数の時間スロットの一部を選択する、請求項１６に記載の装置。
【請求項２８】
設定されたキャリアを活性化または非活性化するための装置であって、
１または複数のキャリアの活性化状態の変更を判定する手段と、
前記変更を判定することに少なくとも部分的に基づいて、帯域幅切換を実行するための１または複数の時間スロットの一部を選択する手段と、
前記１または複数の時間スロットの一部の間に、帯域幅切換を実行する手段と、
を備える装置。
【請求項２９】
前記１または複数の時間スロットは、１または複数のサブフレームに対応する、請求項２８に記載の装置。
【請求項３０】
前記１または複数のサブフレームの一部は、前記１または複数のサブフレームのデータ部分に対応する、請求項２９に記載の装置。
【請求項３１】
前記選択する手段はさらに、帯域幅切換のために利用するために、所与のサブフレームにおいて、１または複数のデータ・シンボルの一部を示すインジケーションを受信し、前記１または複数のデータ・シンボルの一部を示すインジケーションに少なくとも部分的に基づいて、前記１または複数のサブフレームの一部を選択する、請求項３０に記載の装置。
【請求項３２】
前記選択する手段はさらに、帯域幅切換を実行するための、連続したサブフレームの数を決定し、少なくとも前記連続したサブフレームの数に対応するように、前記１または複数のサブフレームの一部を選択する、請求項２９に記載の装置。
【請求項３３】
前記１または複数のサブフレームにおける制御データに少なくとも部分的に基づいて、前記１または複数のサブフレームに関連するデータの再送信を要求する手段、をさらに備える請求項２９に記載の装置。
【請求項３４】
前記１または複数のサブフレームにおける制御データを判定する手段をさらに備え、
前記選択する手段は、前記制御データに少なくとも部分的に基づいて、前記１または複数のサブフレームの一部を選択する、請求項２９に記載の装置。
【請求項３５】
前記１または複数のサブフレームが、マルチメディア・ブロードキャスト・オーバ・シングル周波数ネットワーク（ＭＢＳＦＮ）であると判定する手段をさらに備え、
前記選択する手段は、前記判定する手段が、前記１または複数のサブフレームがＭＢＳＦＮであると判定することに少なくとも部分的に基づいて、前記１または複数のサブフレームの一部を選択する、請求項２９に記載の装置。
【請求項３６】
１または複数のタイプの信号が、前記１または複数のサブフレームで送信されないことを判定する手段をさらに備え、
前記選択する手段は、前記判定する手段が、前記１または複数のタイプの信号が、前記１または複数のサブフレームで送信されないことを判定することに少なくとも部分的に基づいて、前記１または複数のサブフレームの一部を選択する、請求項２９に記載の装置。
【請求項３７】
前記１または複数のサブフレームにおいて制御データを送信するか否かを判定する手段
をさらに備え、
前記選択する手段は、前記判定する手段が、前記１または複数のサブフレームにおいて制御データを送信しないと判定することに少なくとも部分的に基づいて、前記１または複数のサブフレームの一部を選択する、請求項２９に記載の装置。
【請求項３８】
前記実行する手段は、少なくとも部分的に、サンプリング・レートを変更すること、周波数フィルタを再設定すること、または、ローカル発振器を別の周波数へ再調整すること、によって帯域幅切換を実行する、請求項２９に記載の装置。
【請求項３９】
前記選択する手段は、前記１または複数のサブフレームが、時分割デュプレクス通信において、受信機に電源を投入するための時間スロットに対応していると判定し、前記１または複数の時間スロットが、前記受信機に電源を投入するための時間スロットに対応していると判定することに少なくとも部分的に基づいて、前記１または複数の時間スロットの一部を選択する、請求項２８に記載の装置。
【請求項４０】
無線通信において、設定されたキャリアを活性化または非活性化するためのコンピュータ・プログラム製品であって、
少なくとも１つのコンピュータに対して、１または複数のキャリアの活性化状態の変更を検出させるためのコードと、
前記少なくとも１つのコンピュータに対して、前記活性化状態の変更に少なくとも部分的に基づいて、帯域幅切換を実行するための１または複数の時間スロットの一部を選択させるためのコードと、
前記少なくとも１つのコンピュータに対して、前記１または複数の時間スロットの一部の間に、帯域幅を切り換えさせるためのコードと、
を備えるコンピュータ読取可能な媒体を備える、コンピュータ・プログラム製品。
【請求項４１】
設定されたキャリアを活性化または非活性化するための装置であって、
１または複数のキャリアの活性化状態の変更を判定するキャリア変更受信構成要素と、
前記変更を判定することに少なくとも部分的に基づいて、帯域幅切換を実行するための１または複数の時間スロットの一部を選択するリソース選択構成要素と、
前記１または複数の時間スロットの一部の間に、帯域幅切換を実行する帯域幅切換構成要素と、
を備える装置。
【請求項４２】
前記１または複数の時間スロットは、１または複数のサブフレームに対応する、請求項４１に記載の装置。
【請求項４３】
前記１または複数のサブフレームの一部は、前記１または複数のサブフレームのデータ部分に対応する、請求項４２に記載の装置。
【請求項４４】
前記リソース選択構成要素はさらに、帯域幅切換のために利用するために、所与のサブフレームにおいて、１または複数のデータ・シンボルの一部を示すインジケーションを受信し、前記１または複数のデータ・シンボルの一部を示すインジケーションに少なくとも部分的に基づいて、前記１または複数のサブフレームの一部を選択する、請求項４３に記載の装置。
【請求項４５】
前記リソース選択構成要素はさらに、帯域幅切換を実行するための、連続したサブフレームの数を決定し、少なくとも前記連続したサブフレームの数に対応するように、前記１または複数のサブフレームの一部を選択する、請求項４２に記載の装置。
【請求項４６】
前記１または複数のサブフレームにおける制御データに少なくとも部分的に基づいて、前記１または複数のサブフレームに関連するデータの再送信を要求するアクノレッジメント／非アクノレッジメント構成要素、をさらに備える請求項４２に記載の装置。
【請求項４７】
前記１または複数のサブフレームにおける制御データを判定する制御データ・バッファ構成要素をさらに備え、
前記リソース選択構成要素は、前記制御データに少なくとも部分的に基づいて、前記１または複数のサブフレームの一部を選択する、請求項４２に記載の装置。
【請求項４８】
前記１または複数のサブフレームが、マルチメディア・ブロードキャスト・オーバ・シングル周波数ネットワーク（ＭＢＳＦＮ）であると判定するサブフレーム・タイプ判定構成要素をさらに備え、
前記リソース選択構成要素は、前記サブフレーム・タイプ判定構成要素が、前記１または複数のサブフレームがＭＢＳＦＮであると判定することに少なくとも部分的に基づいて、前記１または複数のサブフレームの一部を選択する、請求項４２に記載の装置。
【請求項４９】
１または複数のタイプの信号が、前記１または複数のサブフレームで送信されないことを判定するサブフレーム・タイプ判定構成要素をさらに備え、
前記リソース選択構成要素は、前記サブフレーム・タイプ判定構成要素が、前記１または複数のタイプの信号が、前記１または複数のサブフレームで送信されないことを判定することに少なくとも部分的に基づいて、前記１または複数のサブフレームの一部を選択する、請求項４２に記載の装置。
【請求項５０】
前記１または複数のサブフレームにおいて制御データを送信するか否かを判定するリソース・スケジューリング判定構成要素をさらに備え、
前記リソース選択構成要素は、前記リソース・スケジューリング判定構成要素が、前記１または複数のサブフレームにおいて制御データを送信しないと判定することに少なくとも部分的に基づいて、前記１または複数のサブフレームの一部を選択する、請求項４２に記載の装置。
【請求項５１】
前記帯域幅切換構成要素は、少なくとも部分的に、サンプリング・レートを変更すること、周波数フィルタを再設定すること、または、ローカル発振器を別の周波数へ再調整すること、によって帯域幅切換を実行する、請求項４２に記載の装置。
【請求項５２】
前記リソース選択構成要素は、前記１または複数のサブフレームが、時分割デュプレクス通信において、受信機に電源を投入するための時間スロットに対応していると判定し、前記１または複数の時間スロットが、前記受信機に電源を投入するための時間スロットに対応していると判定することに少なくとも部分的に基づいて、前記１または複数の時間スロットの一部を選択する、請求項４１に記載の装置。
【発明の詳細な説明】
【優先権主張】
【０００１】
本特許出願は、本明細書の譲受人に譲渡され、本明細書において参照によって明確に組み込まれた２００９年１２月８日出願の「設定されたキャリアの活性化−非活性化に対するエンハンスメント」（ENHANCEMENTS TO ACTIVATION-DEACTIVATION OF CONFIGURED CARRIERS）と題された仮出願番号６１／２６７，７６８号のみならず、本明細書の譲受人に譲渡され、本明細書において参照によって明確に組み込まれた２０１０年４月９日出願の「ラジオ周波数再調整／再設定インパクトを最小化すること」（MINIMIZING RADIO FREQUENCY RETUNING/RECONFIGURATION IMPACT）と題された仮出願番号６１／３２２，６２１号に対する優先権を主張する。
【技術分野】
【０００２】
以下の記載は、一般に、無線通信に関し、さらに詳しくは、１または複数のデバイスのために、複数のキャリアを設定することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信しうる。
【発明の概要】
【０００５】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００６】
１または複数の実施形態および対応する開示にしたがって、さまざまな態様が、設定された１または複数のキャリアを活性化／非活性化することから生じるサービス混乱を最小化することに関連して記述される。一例では、デバイスは、通信に対して最小の影響しか及ぼさないようにキャリアを活性化／非活性化するリソースを選択しうる。したがって、デバイスは、リソースのうちの１または複数の態様を決定し、１または複数の基準に準拠するリソースを選択しうる。デバイスは、その後、これらリソースで、帯域幅切換を実行しうる。これらは、サンプリング・レートを変更することと、周波数をフィルタすることと、デバイスのローカル発振器を修正すること等を含みうる。
【０００７】
例によれば、１または複数のキャリアの活性化状態の変更を判定することと、変更を判定することに少なくとも部分的に基づいて、帯域幅切換を実行するための１または複数の時間スロットの一部を選択することと、を含む無線通信の方法が提供される。この方法はさらに、この１または複数の時間スロットの一部の間に、帯域幅切換を実行することを含む。
【０００８】
別の態様では、無線通信において、設定されたキャリアを活性化または非活性化するための無線通信装置が提供される。この装置は、１または複数のキャリアの活性化状態の変更を検出し、活性化状態の変更に少なくとも部分的に基づいて、帯域幅切換を実行するための１または複数の時間スロットの一部を選択する、ように構成された少なくとも１つのプロセッサを含む。少なくとも１つのプロセッサはさらに、１または複数の時間スロットの一部の間に、帯域幅を切り換えるように構成される。さらに、無線通信装置は、少なくとも１つのプロセッサに接続されたメモリをも備える。
【０００９】
また別の態様では、設定されたキャリアを活性化または非活性化するための装置が提供される。この装置は、１または複数のキャリアの活性化状態の変更を判定する手段を含む。この装置はさらに、変更を判定することに少なくとも部分的に基づいて、帯域幅切換を実行するための１または複数の時間スロットの一部を選択する手段と、この１または複数の時間スロットの一部の間に、帯域幅切換を実行する手段と、を含む。
【００１０】
また、別の態様では、無線通信において、設定されたキャリアを活性化または非活性化するためのコンピュータ・プログラム製品が提供される。このコンピュータ・プログラム製品は、少なくとも１つのコンピュータに対して、１または複数のキャリアの活性化状態の変更を検出させるためのコードを有するコンピュータ読取可能な媒体を含む。このコンピュータ読取可能な媒体はさらに、少なくとも１つのコンピュータに対して、活性化状態の変更に少なくとも部分的に基づいて、帯域幅切換を実行するための１または複数の時間スロットの一部を選択させるためのコードと、少なくとも１つのコンピュータに対して、１または複数の時間スロットの一部の間に、帯域幅を切り換えさせるためのコードと、を含む。
【００１１】
さらに、態様では、設定されたキャリアを活性化または非活性化するための装置が提供される。この装置は、１または複数のキャリアの活性化状態の変更を判定するキャリア変更受信構成要素と、変更を判定することに少なくとも部分的に基づいて、帯域幅切換を実行するための１または複数の時間スロットの一部を選択するリソース選択構成要素と、を含む。この装置はさらに、この１または複数の時間スロットの一部の間に、帯域幅切換を実行する帯域幅切換構成要素を含む。
【００１２】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１３】
開示された態様は、以下において、同一符号が同一要素を示す添付図面と連携して説明され、開示された態様を、限定することなく、例示するために提供される。
【図１】図１は、無線ネットワークにおいて、複数のキャリアで通信するためのシステム例を例示する。
【図２】図２は、選択された１または複数のリソースにおいて帯域幅切換を実行するためのシステムの例を例示する。
【図３】図３は、帯域幅切換を実行するための１または複数のリソースを選択することを容易にするシステムの例を例示する。
【図４】図４は、タイマに基づいて、帯域幅切換を実行するための１または複数のリソースを選択することを容易にするシステムの例を例示する。
【図５】図５は、選択された１または複数のサブフレームにおいて帯域幅切換を実行することを容易にする方法の例を例示する。
【図６】図６は、帯域幅切換が実行されるサブフレームによるデータの再送信を要求する方法の例を例示する。
【図７】図７は、デバイスが帯域幅切換を実行することを可能にするために、１または複数のサブフレームで送信することを控える方法の例を例示する。
【図８】図８は、選択された１または複数のサブフレームにおいて帯域幅切換を実行するためのシステムの例を例示する。
【図９】図９は、本明細書に記載されたさまざまな態様にしたがう無線通信システムを図示する。
【図１０】図１０は、本明細書に記載されたさまざまなシステムおよび方法と共に適用されうる無線ネットワーク環境の例を例示する。
【発明を実施するための形態】
【００１４】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１５】
本明細書においてさらに説明するように、デバイスは、１または複数の基地局との通信におけるインパクトを最小化するために、キャリア活性化／非活性化に関する帯域幅切換を実行しうる。例えば、デバイスは、帯域幅切換を実行するリソース（例えば、時間スロット、サブフレーム、周波数等）を選択しうる。一例において、デバイスは、データ通信のために確保された１または複数のサブフレームの一部を選択しうる。これによって、帯域幅切換は、１または複数のサブフレームおよび／または隣接するサブフレームにおける制御データにインパクトを与えないように、最低限しか持たないようになる。１または複数のサブフレームが、例えば、１または複数のサブフレームにおいて、まったくデータ送信が無いか、あるいは、最低数のデータ送信しか無いとデバイスが判定することに基づいて選択されうる。その他の例では、デバイスは、サブフレームにおいて帯域幅切換を実行するか否かを判定するために、サブフレームにおいて送信された１または複数の信号のタイプ、および／または、サブフレームのタイプを判定しうる。
【００１６】
さらに、例えば、デバイスが、割り当てられたリソースを用いて、サブフレームのデータ部分において帯域幅を切り換えると判定した場合、デバイスは、その後、帯域幅切換によって受信されなかったデータ部分の少なくとも一部の再送信を要求しうる。さらに、デバイスは、帯域幅切換を実行することを許可されたサブフレームの数を受信または判定しうる。さらに、帯域幅切換は、サンプリング・レートを変更すること、１または複数のフィルタを再設定すること、ローカル発振器周波数を修正すること等のうちの少なくとも１つに関連しうる。また別の例において、基地局は、キャリア活性化／非活性化コマンドの送信後、１または複数のサブフレームのために、データ・リソースをデバイスへ割り当てることを控える。これによって、デバイスは、データ喪失を最小化するために、１または複数のサブフレーム内で帯域幅切換を実行できるようになる。
【００１７】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能な媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１８】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００１９】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からの文書に記述されている。さらに、ｃｄｍａ２０００およびＵＭＢは、「第３世代パートナシップ計画プロジェクト２」（３ＧＰＰ２）と命名された組織からの文書に記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２１】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２２】
図１を参照して、複数のキャリアを管理することを容易にする無線通信システム１００が例示されている。システム１００は、例えば、ダウンリンク・キャリア１０８、１１０および／または１１２のような１または複数のキャリアによって、例えば基地局１０４、１０６のような１または複数の基地局と通信しうるデバイス１０２を含む。例えば、デバイス１０２は、ＵＥ、モデム（または、その他のテザー・デバイス）、これらの一部、または、１または複数のキャリアによって、無線ネットワークにおける１または複数の基地局またはその他のデバイスに通信しうる実質的に任意のデバイスでありうる。さらに、基地局１０４、１０６は、例えば、マクロセル、フェムトセル、ピコセル、または類似の基地局、中継ノード、モバイル基地局、（例えば、ピア・トゥ・ピアまたはアド・ホック・モードでデバイス１０２と通信する）ＵＥ、これらの一部、および／または、１または複数の異種のデバイスに、１または複数のキャリアによって無線ネットワークへのアクセスを提供する実質的に任意のデバイスでありうる。
【００２３】
例によれば、基地局１０４および／または基地局１０６は、デバイス１０２と通信するための１または複数のキャリアを設定しうる。図示するように、基地局１０４は、デバイス１０２と通信するために、少なくとも、ダウンリンク・キャリア１０８、１１０を設定しうる。そして、基地局１０６は、少なくとも、ダウンリンク・キャリア１１２を設定しうる。例において、ダウンリンク・キャリア１０８、１１０、１１２のうちの１または複数は、デバイス１０２と通信するために、所与の時点において活性化されうる。例えば、ダウンリンク・キャリア１０８、１１０および／または１１２は、デバイス１０２における帯域幅要件、基地局１０４および／または基地局１０６に対するデバイス１０２の位置、デバイス１０２におけるダウンリンク・キャリア１０８、１１０および／または１１２に関連する信号品質等のうちの１または複数の少なくとも部分的に基づいて活性化または非活性化されうる。この例では、デバイス１０２は、基地局１０４から、１または複数のキャリアの活性化状態の変更（例えば、活性化状態を変更するコマンド）を受信しうる。例では、デバイス１０２は、例えばダウンリンク・キャリア１０８、１１０、１１２のような１または複数のキャリアを活性化および／または非活性化することを容易にするために帯域幅を切り換えうる。これは、現在アクティブなキャリアのセットによる通信の混乱を引き起こしうる。
【００２４】
一例において、ダウンリンク・キャリア１１０が設定されているが、活性化されていない場合、基地局１０４は、（例えば、デバイス１０２と通信するために、増加されたデータ・レートを可能にするために）ダウンリンク・キャリア１１０を活性化しうる。ダウンリンク・キャリア１１０を活性化することは、デバイス１０２に対して、キャリアを活性化するように指示することと、このキャリアで信号を送信することと、を含みうる。キャリアを活性化するために、デバイス１０２は、この活性化状態を変更し、キャリア１１０を包含／排除するために帯域幅を切り換えうる。これは、サンプリング・レートを変更すること、いくつかの周波数をフィルタ・イン／アウトするようにフィルタを再設定すること、ダウンリンク・キャリア１１０に関連する追加の周波数を受信するために、ローカル発振器を修正または再調整すること等のうちの少なくとも１つを備えうる。この点において、例えば、帯域幅を切り換えることによって、デバイス１０２における処理時間が生じる。この間、例えば、キャリア１０８またはキャリア１１２を介した、基地局１０４または基地局１０６のような１または複数の基地局からの通信が喪失されうる。この点に関し、例えば、デバイス１０２は、キャリアの活性化状態の変更を判定すると、基地局１０４または基地局１０６からの通信のインパクトを最小化するために、帯域幅を切り換えるためのリソースを選択しうる。
【００２５】
例えば、デバイス１０２は、帯域幅を切り換えるために、１または複数の時間スロット、またはその一部を選択しうる。例えば、１または複数の時間スロットは、デバイス１０２が、時分割デュプレクス（ＴＤＤ）通信で、直交周波数分割多重（ＯＦＤＭ）通信におけるサブフレーム等で、受信機において切換えを行いうる時間スロットに関連しうる。例えば、サブフレームは、期間等におよぶ周波数帯域を備える通信フレームの一部を含みうる。サブフレームは、例えば、一例では、多くの直交周波数分割多重（ＯＦＤＭ）シンボルを含みうる。ここでは、多くのＯＦＤＭシンボルの一部が、制御データ（例えば、最初のｎ個のシンボル。ここで、ｎは、例えばＬＴＥの場合０乃至３のような正の整数である）を送信するために確保される。この例では、デバイス１０２は、帯域幅を切り換える際に、基地局１０４および／または基地局１０６からの制御データ送信を中断しないように、制御データ部分に存在しない１または複数のサブフレームの一部を選択しうる。
【００２６】
一例では、選択された１または複数のサブフレームは、キャリアの活性化／非活性化の後の１または複数のサブフレームに対応しうる。ここでは、デバイスは、基地局１０４（例えば、および／または基地局１０６）から、どのダウンリンク許可をも受信しない。したがって、例では、デバイス１０２は、多くのサブフレームのうちの１または複数において帯域幅を切り換えるか否かを判定するために、キャリアの活性化および／または非活性化の後に、複数のサブフレーム（または、例えば数ミリ秒のような、ある期間にわたるサブフレーム）を評価しうる。ここで、複数のサブフレーム（または、数ミリ秒）は、基地局１０４または基地局１０６から、または設定に基づいて、またはネットワーク規格に基づいて、またはハードコーディング等に基づいて受信されうる。さらに、帯域幅切換が生じうる複数のサブフレームはまた、デバイス１０２によって、基地局１０４または基地局１０６から、設定によって、ネットワーク規格によって、ハードコーディング等によって受信されうる。
【００２７】
他の例では、ここでさらに記載されているように、デバイス１０２は、サブフレームのタイプ、または、サブフレームで送信された信号のタイプ等のうちの少なくとも１つにしたがって、帯域幅を切り換えるためのサブフレームを選択しうる。さらに、デバイス１０２は、帯域幅切換のために選択されたリソースによって送信されたデータの再送信を要求しうる。ここで、リソースは、ダウンリンク許可を含んでいる。
【００２８】
さらに、ダウンリンク・キャリアに関して図示および説明されているが、ここに記載されている態様はさらに、あるいは、この代わりに、アップリンク・キャリアを活性化／非活性化するためにも利用されうる。例えば、デバイス１０２は、１または複数のサブフレームにおいて帯域幅切換を実行すると決定しうる。ここで、デバイス１０２は、基地局１０４へ制御データを送信しない。
【００２９】
図２に移って、キャリアを活性化／非活性化することに関して帯域幅切換を実行するためのリソースを選択することを容易にする無線通信システム２００の例が例示されている。システム２００は、デバイス１０２を備える。デバイス１０２は、前述したように、無線ネットワークへのアクセスを受信するために、複数のキャリアによって基地局１０４（および／または、１または複数の追加の基地局）と通信しうる。この点に関し、例えば、基地局１０４は、デバイス１０２のサービス提供基地局１０４でありうる。デバイス１０２は、（例えば、キャリアを活性化および／または非活性化するために）キャリアの活性化状態を変更する指示または通知を取得しうるキャリア変更受信構成要素２０２と、キャリア活性化／非活性化に関して帯域幅を切り換えるための１または複数のリソースを決定しうるリソース選択構成要素２０４と、帯域幅切換を実行する帯域幅切換構成要素２０６と、を備えうる。
【００３０】
例によれば、キャリア変更受信構成要素２０２は、（例えば、基地局１０４から、デバイス１０２の図示しない１または複数の構成要素等から）キャリア活性化状態の変更を示すインジケーションを取得しうる。説明するように、この変更によって、デバイス１０２は、活性化または非活性化されたキャリアを考慮するために、モニタされている帯域幅を変更するようになる。この点に関し、リソース選択構成要素２０４は、基地局１０４、および／または、１または複数の他の基地局との通信におけるインパクトを最小化するために、帯域幅を切り換えるリソースを決定しうる。一例において、リソース選択構成要素２０４は、ハードコーディング、システム仕様、デバイス設定等に少なくとも部分的に基づいて、帯域幅切換を実行するための連続したサブフレームの数を決定しうる。
【００３１】
一例では、リソース選択構成要素２０４は、制御データ通信を妨害しないように、キャリア変更後、１または複数のサブフレームのデータ部分における帯域幅切換を実行することを決定しうる。例えば、基地局１０４は、１または複数のサブフレームのデータ部分で通信するために、例えばハイブリッド自動反復／要求（ＨＡＲＱ）等のような再送信技術を利用しうる。この点に関し、デバイス１０２が帯域幅切換によってデータ部分で送信を受信しない場合であっても、リソース選択構成要素２０４が１または複数のサブフレームのデータ部分で帯域幅を切り換えることを決定した場合、デバイス１０２は、喪失されたデータの再送信を促すために、基地局１０４へ否定的アクノレッジメント（ＮＡＫ）を通信しうる。同様に、例では、デバイス１０２は、基地局１０４によってサブフレームで送信された制御データ・シンボル（例えば、サブフレームの最初のｎ個のシンボル。ここで、ｎは、正の整数）をバッファしうる。そして、リソース選択構成要素２０４は、バッファされた制御データ・シンボルに少なくとも部分的に基づいて、データ部分が、基地局１０４からのダウンリンク許可を備えているか否かを判定しうる。備えていると判定された場合、説明するように、デバイス１０２は、再送信を要求しうる。別の例では、リソース選択構成要素２０４は、説明するように、制御データに少なくとも部分的に基づいて、データ部分が、ダウンリンク許可を備えているか、アップリンク許可を備えているかを判定し、帯域幅切換を実行するためのダウンリンク許可またはアップリンク許可を含んでいないサブフレームを待ちうる。これによって、ダウンリンク・データ、アップリンク送信機会等が失われないようになる。
【００３２】
別の例において、リソース選択構成要素２０４は、帯域幅切換構成要素２０６がサブフレームにおいて帯域幅切換を実行するか否かを決定するために、サブフレームのうちの１または複数のその他の態様を判定しうる。例えば、リソース選択構成要素２０４は、キャリア変更決定後のサブフレームが、（例えば、サブフレームにおけるインジケータまたはその他に基づいて、）マルチメディア・ブロードキャスト・オーバ・シングル周波数ネットワーク（ＭＢＳＦＮ：multimedia broadcast over single frequency network）サブフレームであるか否かを検出しうる。この場合、帯域幅切換構成要素２０６は、デバイス１０２によって要求されたサービスに無関係である場合、サブフレーム中に帯域幅切換を実行しうる。さらに、例えば、リソース選択構成要素２０４は、同期信号（例えば、一次同期信号（ＰＳＳ）、二次同期信号（ＳＳＳ）等）、システム情報ブロック（ＳＩＢ）等がサブフレームで送信されるべきか否かを判定しうる。送信されるべきであると判定された場合、リソース選択構成要素２０４は、帯域幅切換を実行するためのサブフレームを回避しうる。
【００３３】
さらに、例えば、リソース選択構成要素２０４は、１または複数のサブフレームのデータ部分で、例えばタイミング・アドバンス（ＴＡ）のようなその他の情報が送信されるリソースを決定し、１または複数のサブフレームのうちのこのような部分による帯域幅切換を回避しうる。一例において、リソース選択構成要素２０４は、ＴＡが送信されるサブフレームに続いて隣接するサブフレームを選択しうる。なぜなら、隣接するサブフレームは、さらなるＴＡ情報を有することがないだろうからである。何れの場合であれ、帯域幅切換構成要素２０６は、リソース選択構成要素２０４の動作に応答して帯域幅を変更しうる。ここで、帯域幅変更は、サンプリング・レートを変更すること、周波数フィルタを再設定すること、ローカル発振器周波数を変更すること等に少なくとも部分的に基づきうる。
【００３４】
さらに別の例では、デバイス１０２がＴＤＤモードで動作している場合、リソース選択構成要素２０４は、基地局１０４からの信号を受信するために、受信機に電源を投入することに関連する時間スロットの間、帯域幅を切り換えると判定しうる。例えば、リソース選択構成要素２０４は、前の受信期間において、基地局１０４から時間スロットに関する情報を受信することに少なくとも部分的に基づいて時間スロットを決定しうる（例えば、基地局１０４は、送信時間スロット・インジケーションおよび受信時間スロット・インジケーション、送信および／または受信のための持続時間、および／または、関連する情報をデバイス１０２へ通信しうる。）。この点に関し、帯域幅切換構成要素２０６は、関連する受信期間によって指定されたものよりも広い帯域幅を受信するために、時間スロットの前、または時間スロット中に、デバイス１０２を設定しうる。例えば、帯域幅は、前の受信期間の帯域幅に少なくとも部分的に基づいて指定されうる。そして、帯域幅切換構成要素２０６は、追加のキャリアに適合するために、時間スロット内の帯域幅を増加させうる。これによって、デバイス１０２は、受信期間中に活性化されうるキャリアを設定するために、次の受信期間における受信を中断する必要がなくなる。一例では、帯域幅切換構成要素２０６は、時間スロットにおいてより広い帯域幅を受信するように受信機を設定しうる。ここで、受信期間は、追加の帯域幅による受信によって引き起こされる電力消費を低減するために、しきい時間未満である。この受信期間は、基地局１０４から受信されうるか、および／または、受信時間スロット・インジケーションおよびその後の送信時間スロット・インジケーションに少なくとも部分的に基づいて計算されうることが認識されるべきである。
【００３５】
さらに、例えば、帯域幅切換を実行する帯域幅切換構成要素２０６は、（例えば、活性化／非活性化されたキャリアがアップリンク・キャリアである場合等において）基地局１０４へのアップリンク送信に悪影響を与えうる。この例では、リソース選択構成要素２０４も同様に、帯域幅切換構成要素２０６に対して、帯域幅切換を実行するように指示するためのアップリンク許可が受信されないリソース（例えば、サブフレーム）を選択しうる。このようなリソースが存在しない場合、リソース選択構成要素２０４は、制御情報（例えば、チャネル品質インジケータ（ＣＱＩ）、アクノレッジメント（ＡＣＫ）／ＮＡＫ等のようなレイヤ１制御情報や、上部レイヤ制御情報等）を送信するためにデバイス１０２が割り当てられないリソースを選択しうる。
【００３６】
図３を参照して、帯域幅切換を実行するためのリソースを選択することを容易にする無線通信システム３００の例が例示されている。システム３００は、デバイス１０２を備える。デバイス１０２は、説明するように、無線ネットワークへアクセスするために、１または複数のキャリアによって、１または複数の基地局と通信しうる。さらに、説明されているように、デバイス１０２は、（例えば、基地局からの１または複数のコマンドまたはその他に基づいて）設定された１または複数のキャリアを活性化／非活性化しうる。これは、（例えば、サンプリング・レートの変更、フィルタの再構成、ローカル発振器周波数の変更等のため、）デバイス１０２によって利用される帯域幅の切換を引き起こしうる。デバイス１０２は、説明するように、帯域幅切換を実行するためのリソースのセット（例えば、１または複数のサブフレーム）を決定しうるリソース選択構成要素２０４と、オプションとして、デバイス１０２が１または複数のサブフレームのうちの残りで帯域幅切換を実行している間に、１または複数のサブフレームの制御部分を取得しうる制御データ・バッファ構成要素３０２と、を含みうる。
【００３７】
例において、既に説明したように、リソース選択構成要素２０４は、オプションとして、１または複数のサブフレームの態様を決定するための１または複数の構成要素を備えうる。例えば、リソース選択構成要素２０４はオプションとして、帯域幅切換を実行するために使用または分析されている１または複数のサブフレームにおいて、リソースがデバイス１０２に割り当てられているか否かを検出するリソース・スケジューリング決定構成要素３０４と、サブフレームにおいてリソースがデバイス１０２に割り当てられていたるか否かを判定することに少なくとも部分的に基づいて、サブフレームのための再送信フィードバックをレポートするＡＣＫ／ＮＡＫ構成要素３０６と、および／または、１または複数のサブフレームにおいて帯域幅切換を実行するか否かを判定するために、１または複数のサブフレームに関する１または複数の態様、または、１または複数のサブフレームで通信された情報を区別するサブフレーム・タイプ判定構成要素３０８と、を備えうる。
【００３８】
例によれば、リソース選択構成要素２０４は、説明するように、基地局（図示せず）からキャリア活性化／非活性化コマンドを受信した後に、帯域幅切換を実行すべき１または複数のサブフレームを決定しうる。例において、制御データ・バッファ構成要素３０２は、サブフレームの制御部分（例えば、最初のｎ個のシンボル。ここでｎは、正の整数）を受信して格納しうる。そして、デバイス１０２は、説明するように、サブフレームの残りの間に、帯域幅切換を実行しうる。この例では、リソース・スケジューリング決定構成要素３０４は、デバイス１０２がサブフレームの残りでデータを受信するようにスケジュールされていたか否かを判定しうる。そして、スケジュールされていたと判定された場合には、ＡＣＫ／ＮＡＫ構成要素３０６が、データの再送信を引き起こすために、基地局へＮＡＫを送信しうる。さらに、制御領域をバッファすることによって、デバイス１０２は、（例えば、アップリンク・リソースのための再送信要求等のような）他の重要な制御データを受信できるようになる。これによって、帯域幅切換を実行することによって引き起こされる混乱が、両方のケースにおいて最小化される。
【００３９】
別の例では、リソース・スケジューリング決定構成要素３０４は、サブフレームの制御部分に少なくとも部分的に基づいて、（例えば、キャリアの活性化および／または非活性化を受信した後に、）デバイス１０２のためのリソースがサブフレームにおいてスケジュールされているか否かを検出しうる。この例では、リソース選択構成要素２０４が、リソースがデバイス１０２のためにスケジュールされているか否かに少なくとも部分的に基づいて、（例えば、および／または、サイズ、データ・タイプ等のような割当の１または複数の態様に基づいて、）サブフレームにおいて、帯域幅切換を実行するか否かを判定しうる。一例では、リソース・スケジューリング決定構成要素３０４は、１または複数のアップリンク許可またはダウンリンク許可が、１または複数のサブフレームで受信されるか否かを判定しうる。別の例において、リソース・スケジューリング決定構成要素３０４は、アップリンク制御リソースが１または複数のサブフレームでスケジュールされているかを区別し、デバイス１０２は、このようなサブフレームの間に、アップリンク・キャリアのための帯域幅切換を回避しうる。
【００４０】
また別の例では、サブフレーム・タイプ決定構成要素３０８は、説明するように、例えばサブフレームのタイプのように、サブフレームに関連する１または複数の態様や、サブフレーム内で通信されることが期待されている情報等を取得するために利用されうる。したがって、例えば、サブフレーム・タイプ決定構成要素３０８は、説明するように、サブフレームのタイプを受信し、サブフレームがＭＢＳＦＮであるか否か、ＭＢＳＦＮサブフレームがデバイス１０２によって利用されるサービスに関連しているか否か等を判定しうる。説明するように、リソース選択構成要素２０４は、この例では、帯域幅切換のためにサブフレームを利用するか否かを判定しうる。さらに、例では、サブフレーム・タイプ決定構成要素３０８は、例えばＴＡ、同期信号、ＳＩＢ等のような重要な情報を受信するためのあるサブフレームを区別しうる。例えば、このような信号は、ある周期で送信されうるので、サブフレーム・タイプ決定構成要素３０８は、サブフレームがこのような情報を含むであろうか否かを予測しうる。含むであろうと予測された場合、リソース選択構成要素２０４は、説明するように、サブフレームを回避するか、および／または、帯域幅切換のために次のサブフレームを利用しうる。なぜなら、連続したサブフレームによって情報を送信する可能性は低いからである。
【００４１】
図４に移って、キャリアを活性化および／または非活性化することに関連して帯域幅切換を実行するためのリソースを選択することを容易にする無線通信システム４００の例が例示されている。システム４００は、デバイス１０２を備える。デバイス１０２は、無線ネットワークへのアクセスを受信するために、複数のキャリアによって基地局１０４（および／または、１または複数の追加の基地局）と通信しうる。デバイス１０２は、キャリア活性化／非活性化に関して帯域幅を切り換えるための１または複数のサブフレームを決定しうるリソース選択構成要素２０４と、リソース割当無しでサブフレームを求めて探索するためのキャリアの活性化および／または非活性化がなされると、タイマを起動する帯域幅切換タイマ構成要素４０２と、を備えうる。さらに、リソース選択構成要素２０４は、１または複数のサブフレームにおいて、リソースがデバイス１０２のためにスケジュールされているか否かを判定しうるリソース・スケジューリング決定構成要素３０４を含む。基地局１０４は、ダウンリンク通信を受信するため、アップリンク通信を送信するため等のために、デバイスにリソースを割り当てるリソース・スケジューリング構成要素４０４と、設定された１または複数のキャリアの活性化状態を変更するようにデバイスに対して指示するキャリア活性化／非活性化構成要素４０６と、を含みうる。
【００４２】
例によれば、キャリア活性化／非活性化構成要素４０６は、デバイス１０２に対して、（例えば、要求されたデータに基づいてデータ・レートを変更するため等のために、）設定された１または複数のキャリアを活性化および／または非活性化するように指示しうる。この点において、リソース・スケジューリング構成要素４０４は、キャリア活性化および／または非活性化にしたがって、デバイス１０２が帯域幅を切り換えることができるように、１または複数のその後のサブフレームの間、デバイス１０２へリソースをスケジュールすることを控えうる。したがって、例えば、リソース・スケジューリング決定構成要素３０４は、説明するように、キャリアの活性化状態を変更することを示すインジケーションを受信すると、割り当てられているリソースを持たない１または複数のその後のサブフレームを（例えば、説明するように、１または複数のサブフレーム内の制御データを分析することによって）判定しうる。そして、デバイス１０２は、１または複数のその後のサブフレームにおいて帯域幅切換を実行しうる。
【００４３】
別の例において、帯域幅切換タイマ構成要素４０２は、１または複数のサブフレームを決定するための活性化／非活性化インジケーションを受信すると、タイマを起動させうる。これによって、例えば、リソース選択構成要素２０４は、基地局１０４が、活性化／非活性化インジケーションを受信した後に、１または複数のサブフレームのためにリソースを割り当てることを控えることをサポートするか否かを判定できるようになる。サポートしないと判定された場合、タイマは、リソース・スケジューリング決定構成要素３０４がリソース割当無しで１または複数のサブフレームを位置決めする前に終了しうる。そして、リソース選択構成要素２０４は、その後、帯域幅切換を実行するために、実質的に任意のサブフレーム（単数または複数）を（例えば、前述した別の態様あるいはその他にしたがって）選択しうる。
【００４４】
図５−７を参照して、キャリア活性化および／または非活性化のために帯域幅切換を実行することに関する方法の例が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４５】
図５を参照して、キャリア活性化および／または非活性化のために帯域幅を切り換えることを容易にする方法５００の例が示される。５０２では、１または複数のキャリアの活性化状態の変更が判定されうる。説明するように、例えば、これは、設定された１または複数のキャリアを活性化および／または非活性化するためのコマンドを基地局から受信することを含みうる。説明するように、これにより、帯域幅が変更される。したがって、５０４では、この変更を判定することに少なくとも部分的に基づいて、帯域幅切換を実行するための１または複数の時間スロットの一部が選択されうる。例えば、１または複数の時間スロットの一部は、説明するように、基地局との通信に対するインパクトを最小化するために、１または複数のサブフレームのデータ部分として選択されうる。一例において、これは、（例えば、１または複数のサブフレームにおける関連する制御データに基づいて、）アップリンク許可もダウンリンク許可もを有さない１または複数のサブフレームを選択することを含みうる。
【００４６】
別の例において、サブフレームは、サブフレームのタイプ（例えば、ＭＢＳＦＮまたはその他）、サブフレームで通信されている１または複数の信号のタイプ（例えば、ＴＡ、同期信号、ＳＩＢ等）等に基づいて選択されうる。さらに、（例えば、複数のサブフレームが要求される場合、）帯域幅切換を実行するために、１または複数のサブフレームの数が決定されうる。さらに、例では、活性化状態の変更が判定されると、タイマが起動されうる。この間、１または複数のサブフレームは、選択されるために、（例えば、ダウンリンク許可を持たないような）いくつかの要件を満足しなければならない。タイマの後、１または複数のサブフレームが、他の基準に基づいて選択されうる。さらに、１または複数の時間スロットは、ＴＤＤ通信において、受信機に電源を投入するための時間スロットに関連しうる。何れの場合であれ、５０６において、１または複数の時間スロットの一部の間に、帯域幅切換が実行されうる。これは、説明するように、サンプリング・レートを変更すること、いくつかの周波数をフィルタ・イン／アウトするようにフィルタを再設定すること、ローカル発振器を修正すること、ＴＤＤ通信のために受信機の受信帯域幅を拡大すること等、を含みうる。
【００４７】
図６に移って、１または複数のサブフレームにおいて帯域幅切換を実行することを容易にする方法６００の例が示される。６０２では、１または複数のキャリアの活性化状態の変更が判定されうる。説明するように、例えば、これは、設定された１または複数のキャリアを活性化および／または非活性化するためのコマンドを基地局から受信することを含みうる。説明するように、これによって、帯域幅が変更される。したがって、６０４では、その後の１または複数のサブフレームのデータ部分の間に、帯域幅切換が実行されうる。説明するように、例えば、その後の１または複数のサブフレームが、制御部分（例えば、最初のｎ個のシンボル）とデータ部分とを有しうる。１または複数のサブフレームのデータ部分は、関連するリソースでのデータの送信を保証するために、例えばＨＡＲＱのような再送信技術を利用しうる。したがって、６０６では、１または複数のサブフレームがデバイスのためのデータを含んでいると判定された場合、その後の１または複数のサブフレームのデータ部分の再送信が要求されうる。これは、例えば、その後の１または複数のサブフレームのデータ部分に関連するＮＡＫを基地局へ通信し、再送信を引き起こすことを含みうる。
【００４８】
図７を参照して、デバイスが１または複数のサブフレームで帯域幅切換を実行することを可能にする方法７００の例が例示される。７０２では、デバイスと通信するために利用される１または複数のキャリアに関連する活性化状態の変更が判定されうる。説明するように、これは、デバイスへ通信された１または複数の関連するコマンドに基づいて判定されうる。７０４では、リソースをデバイスへ割り当てることが、この変更を判定することに少なくとも部分的に基づいて、１または複数のサブフレームのために控えられうる。したがって、説明するように、このデバイスは、帯域幅切換を実行するために割り当てられたリソース無しで、１または複数のサブフレームを決定しうる。
【００４９】
本明細書に記載された１または複数の態様によれば、推論は、説明されたように、帯域幅切換を実行する１または複数のサブフレームを決定すること等に関してなされうることが認識されるだろう。本明細書で使用されるように、「推論する」または「推論」という用語は一般に、イベントおよび／またはデータによって取得されたような観察のセットから、システム、環境、および／または、ユーザの状態の推論あるいはそれらに関連する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００５０】
図８を参照して、１または複数のキャリアを活性化および／または非活性化するために帯域幅切換を実行するシステム８００が例示される。例えば、システム８００は、基地局、モバイル・デバイス等の中に少なくとも部分的に存在しうる。システム８００は、プロセッサ、ソフトウェア、またはこれらの組み合わせ（例えば、ファームウェア）によって実現される機能を表す機能ブロックでありうる機能ブロックを含むものとして示されることが認識されるべきである。システム８００は、連携して動作しうる電子構成要素の論理グループ８０２を含む。例えば、論理グループ８０２は、１または複数のキャリアの活性化状態の変更を判定するための電子構成要素８０４を含みうる。説明するように、これは、設定された１または複数のキャリアを活性化および／または非活性化するためのコマンドを基地局から受信することを含みうる。これは、帯域幅切換に対して、新たに活性化および／または非活性化されたキャリアによって送信および／または受信をさせうる。さらに、論理グループ８０２は、帯域幅切換を実行するための１または複数の時間スロットの一部を選択するための電子構成要素８０６を備えうる。
【００５１】
説明するように、例えば、これは、活性化状態の変更を判定することに応じて実行されうる。一例において、時間スロットは、１または複数のサブフレームに対応しうる。そして、電子構成要素８０６は、前述したように、例えば、１または複数のサブフレームで許可が受信されたか否か、サブフレームのタイプ、サブフレームで送信された信号のタイプ等に少なくとも部分的に基づいて、１または複数のサブフレームの一部を選択しうる。さらに、電子構成要素８０６は、帯域幅切換を実行するために利用するサブフレームの数を選択しうる。しかしながら、時間スロットはまた、ＴＤＤ通信において受信機に電源を投入することに関する時間スロットに対応しうる。さらに、論理グループ８０２は、１または複数の時間スロットの一部の間に、帯域幅切換を実行するための電子構成要素８０８を含みうる。説明するように、電子構成要素８０８は、サンプリング・レートを変更すること、いくつかの周波数をフィルタ・イン／アウトするようにフィルタを再設定すること、ローカル発振器を修正すること、受信帯域幅を拡大すること等によって、帯域幅切換を実行しうる。さらに、システム８００は、電子構成要素８０４、８０６、８０８に関連付けられた機能を実行するための命令群を保持するメモリ８１０を含みうる。メモリ８１０の外側にあるとして示されているが、電子構成要素８０４、８０６、８０８のうちの１または複数は、メモリ８１０内に存在しうることが理解されるべきである。
【００５２】
図９に示すように、本明細書に記載されたさまざまな実施形態にしたがった無線通信システム９００が例示されている。システム９００は、複数のアンテナ・グループを含むことができる基地局９０２を含む。例えば、１つのアンテナ・グループは、アンテナ９０４およびアンテナ９０６を含むことができ、別のグループはアンテナ９０８およびアンテナ９１０を備えることができ、さらに別のグループはアンテナ９１２およびアンテナ９１４を含むことができる。おのおののアンテナ・グループについて２本のアンテナしか例示されていないが、２本より多いアンテナ、または２本より少ないアンテナも、各グループのために利用されうる。基地局９０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００５３】
基地局９０２は、例えばモバイル・デバイス９１６およびモバイル・デバイス９２２のような１または複数のモバイル・デバイスと通信しうる。しかしながら、基地局９０２は、モバイル・デバイス９１６およびモバイル・デバイス９２２に類似した実質的に任意の数のモバイル・デバイスと通信しうることが理解されるべきである。モバイル・デバイス９１６、９２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム９００を介して通信するのに適切なその他任意のデバイスでありうる。図示するように、モバイル・デバイス９１６は、アンテナ９１２およびアンテナ９１４と通信している。ここで、アンテナ９１２およびアンテナ９１４は、順方向リンク９１８によってモバイル・デバイス９１６へ情報を送信し、逆方向リンク９２０によってモバイル・デバイス９１６から情報を受信する。さらに、モバイル・デバイス９２２はアンテナ９０４およびアンテナ９０６と通信している。ここで、アンテナ９０４およびアンテナ９０６は、順方向リンク９２４でアクセス端末９２２へ情報を送信し、逆方向リンク９２６でアクセス端末９２２から情報を受信する。周波数分割デュプレクス（ＦＤＤ）システムでは、例えば、順方向リンク９１８は、逆方向リンク９２０によって使用されるものとは異なる周波数帯域を使用し、順方向リンク９２４は、逆方向リンク９２６によって使用されるものとは異なる周波数帯域を使用することができる。さらに、時分割デュプレクス（ＴＤＤ）システムでは、順方向リンク９１８および逆方向リンク９２０は、共通の周波数帯域を使用し、順方向リンク９２４および逆方向リンク９２６は、共通の周波数帯域を使用することができる。
【００５４】
通信するように指定された領域および／またはアンテナのおのおののグループは、基地局９０２のセクタと称されうる。例えば、基地局９０２によってカバーされる領域のセクタ内のアクセス端末に通信するように、複数のアンテナが設計されうる。順方向リンク９１８、９２４による通信では、基地局９０２の送信アンテナは、モバイル・デバイス９１６、９２２の順方向リンク９１８、９２４の信号対雑音比を改善するためにビームフォーミングを利用しうる。また、基地局９０２が、関連付けられた有効通信範囲にランダムに散在したモバイル・デバイス９１６、９２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス９１６、９２２は、図示するように、ピア・トゥ・ピアまたはアド・ホック技術を用いて互いにダイレクトに通信しうる。例によれば、システム９００は、複数入力複数出力（ＭＩＭＯ）通信システムでありうる。
【００５５】
図１０は、無線通信システム１０００の例を示す。無線通信システム１０００は、簡潔さの目的で、１つの基地局１０１０と１つのモバイル・デバイス１０５０とを示している。しかしながら、システム１０００は、１より多い基地局、および／または、１より多いモバイル・デバイスを含むことができ、これら追加の基地局および／またはモバイル・デバイスは、以下に説明する基地局１０１０およびモバイル・デバイス１０５０の例と実質的に同じでも、別のものでもありうることが認識されるべきである。それに加えて、基地局１０１０および／またはモバイル・デバイス１０５０は、その間の無線通信を容易にするために、本明細書に記載されたシステム（図１−４、８−９）、および／または方法（図５−７）を適用しうることが認識されるべきである。この点に関し、例えば、ここに記載されたシステムおよび／または方法の構成要素または機能は、以下に説明するメモリ１０３２および／またはメモリ１０７２、または、プロセッサ１０３０および／またはプロセッサ１０７０の一部でありうるか、および／または、開示された機能を実行するために、プロセッサ１０３０および／またはプロセッサ１０７０によって実行されうる。
【００５６】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符号化スキームに基づいて符号化し、インタリーブして、符号化されたデータを提供する。
【００５７】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１０５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０３０によって実行または提供される指示によって決定されうる。
【００５８】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００５９】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００６０】
モバイル・デバイス１０５０では、送信された変調された信号が、ＮＲ個のアンテナ１０５２ａ乃至１０５２ｒによって受信され、おのおののアンテナ１０５２からの受信信号が、受信機（ＲＣＶＲ）１０５４ａ乃至１０５４ｒそれぞれに提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６１】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００６２】
プロセッサ１０７０は、上述したように、どのプリコーディング行列を使用するのかを定期的に決定する。さらに、プロセッサ１０７０は、行列インデクス部およびランク値部を備えた逆方向リンク・メッセージを規定することができる。
【００６３】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００６４】
基地局１０１０では、モバイル・デバイス１０５０からの変調信号が、アンテナ１０２４によって受信され、受信機１０２２によって調整され、復調器１０４０によって復調され、ＲＸデータ・プロセッサ１０４２によって処理されて、モバイル・デバイス１０５０によって送信された逆方向リンク・メッセージが抽出される。さらに、プロセッサ１０３０は、ビームフォーミング重みを決定するためにどのプリコーディング行列を使用するかを決定するために、この抽出されたメッセージを処理する。
【００６５】
プロセッサ１０３０およびプロセッサ１０７０は、基地局１０１０およびモバイル・デバイス１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００６６】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００６７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリートな構成要素として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００６８】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能な媒体に格納されうるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。例えば、同軸ケーブル、光ファイバ・ケーブル、ツイスト・ペア、またはデジタル加入者線（ＤＳＬ）を使用して、ウェブサイト、サーバ、あるいはその他の遠隔ソースからソフトウェアが送信される場合、同軸ケーブル、光ファイバ・ケーブル、ツイスト・ペア、またはＤＳＬは、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００６９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013513341.tif 000003
【図２】
2013513341.tif 000004
【図３】
2013513341.tif 000005
【図４】
2013513341.tif 000006
【図５】
2013513341.tif 000007
【図６】
2013513341.tif 000008
【図７】
2013513341.tif 000009
【図８】
2013513341.tif 000010
【図９】
2013513341.tif 000011
【図１０】
2013513341.tif 000012
【国際調査報告】
2013513341.tif 000013
2013513341.tif 000014
2013513341.tif 000015